【事件の表示】
　特願２０１８−５２０７１２「表示装置および電子機器」拒絶査定不服審判事件〔平成２９年１２月　７日国際公開、ＷＯ２０１７／２０８６６０、請求項の数（１０）〕について、次のとおり審決する。
【結　論】
　原査定を取り消す。
　本願の発明は、特許すべきものとする。
【理　由】
第１　手続の経緯
　特願２０１８−５２０７１２号（以下「本件出願」という。）は、２０１７年（平成２９年）４月２０日（先の出願に基づく優先権主張　２０１６年（平成２８年）５月３０日）を国際出願日とする出願であって、その手続等の経緯の概要は、以下のとおりである。
平成３１年　４月　４日付け：拒絶理由通知書
令和　元年　６月　７日提出：意見書
令和　元年　６月　７日提出：手続補正書
令和　元年１１月２０日付け：拒絶査定（以下「原査定」という。）
令和　２年　２月２６日提出：審判請求書
令和　２年　２月２６日提出：手続補正書
第２　原査定の概要
　原査定の拒絶の理由は、概略、本件出願の請求項１〜１１に係る発明は、先の出願前に日本国内又は外国において、頒布された刊行物に記載された発明又は電気通信回線を通じて公衆に利用可能となった発明に基づいて、先の出願前にその発明の属する技術の分野における通常の知識を有する者（以下「当業者」という。）が容易に発明をすることができたものであるから、特許法第２９条第２項の規定により特許を受けることができない、というものである。
引用文献１：国際公開第２０１５／１３６５７９号
引用文献２：特開２００８−９１０７０号公報
引用文献４：特開２００９−１２２２７８号公報
引用文献５：特開２０１１−３４８４９号公報
引用文献６：特開２００９−２８８７３５号公報
引用文献７：特開２０１５−１４４０８７号公報
（当合議体注：主引用例は引用文献２であり、引用文献１は請求項１〜１１についての副引用例であり、引用文献４は請求項６及び７についての副引用例であり、引用文献５及び６は請求項９ついて周知技術を示す文献であり、引用文献７は請求項１〜１１についての副引用例である。）
第３　本件発明
　本件出願の請求項１〜１０に係る発明（以下、それぞれ「本件発明１」〜「本件発明１０」という。）は、令和２年２月２６日に提出された手続補正書により補正された特許請求の範囲の請求項１〜１０に記載された事項により特定されるとおりのものであるところ、本件発明１及び１０は、以下のとおりのものである。
「　【請求項１】
　２次元配置されると共に、それぞれが複数色のうちのいずれかの色の光を発する有機電界発光素子を含む複数の画素を備え、
　前記複数の画素は、
　発光色毎に一方向に沿って配置され、かつ
　前記画素毎に開口部を有する第１の絶縁膜と、
　前記第１の絶縁膜上の異なる発光色の画素同士の間の領域に、前記発光色毎の配列方向に沿って延在する第２の絶縁膜と、
　前記開口部に形成されると共に発光層を含む有機層と
　を有し、
　前記第１の絶縁膜は、前記複数の画素のうちの同一の発光色の画素の開口部同士を繋ぐ凹部を含み、
　前記有機層は、印刷層または塗布層を含み、
　前記開口部は、リフレクタを有し、
　前記有機層は、前記凹部にも形成され、
　前記凹部の側面のテーパ角は、前記開口部の側面のテーパ角よりも小さい
　表示装置。」
「　【請求項１０】
　２次元配置されると共に、それぞれが複数色のうちのいずれかの色の光を発する有機電界発光素子を含む複数の画素を備え、
　前記複数の画素は、
　発光色毎に一方向に沿って配置され、かつ
　前記画素毎に開口部を有する第１の絶縁膜と、
　前記第１の絶縁膜上の異なる発光色の画素同士の間の領域に、前記発光色毎の配列方向に沿って延在する第２の絶縁膜と、
　前記開口部に形成されると共に発光層を含む有機層と
　を有し、
　前記第１の絶縁膜は、前記複数の画素のうちの同一の発光色の画素の開口部同士を繋ぐ凹部を含み、
　前記有機層は、印刷層または塗布層を含み、
　前記開口部は、リフレクタを有し、
　前記有機層は、前記凹部にも形成され、
　前記凹部の側面のテーパ角は、前記開口部の側面のテーパ角よりも小さい
　表示装置を備えた電子機器。」
　また、本件発明２〜９は、本件発明１に対してさらに他の発明特定事項を付加したものである。
第４　引用文献の記載事項及び引用文献に記載された発明
１　引用文献２の記載事項
　原査定の拒絶理由に引用文献２として引用され、先の出願前に日本国内又は外国において、頒布された刊行物である特開２００８−９１０７０号公報（以下、同じく「引用文献２」という。）には、以下の記載事項がある。なお、当合議体が発明の認定等に用いた箇所に下線を付した。
（１）「【技術分野】
【０００１】
　本発明は、発光層を有する発光装置、及び当該発光装置を備えた電子機器に関する。
【背景技術】
【０００２】
　上記発光装置の一つに、発光層に有機発光材料を用いた有機ＥＬ（Electro Luminescence）装置がある。有機ＥＬ装置は、薄型、低消費電力、広視野角といった特徴を有しており、多くの電子機器に表示装置として搭載されている。そして、こうした有機ＥＬ装置に対しては、表示情報量の増加や表示品位の向上のため、さらなる高精細化が求められている。
【０００３】
　ところで、上記有機ＥＬ装置の製造方法としては、いわゆる液滴吐出法を用いた方法が知られている。これは、基板上に各画素を囲うようにして形成されたバンク（隔壁）の作る凹部に、有機発光材料が溶解又は分散された液滴を吐出し、これを乾燥させることによって発光層を形成するものである（特許文献１参照）。
【０００４】
【特許文献１】特開２００４−３１３５９号公報
【発明の開示】
【発明が解決しようとする課題】
【０００５】
　しかしながら、高精細化のために画素を小さくしていくと、バンクの作る凹部も小さくなる。こうした場合においては、当該凹部に吐出された液滴の表面積を最小に保とうとする表面張力の作用の影響が大きくなり、液滴を乾燥させて得られる発光層の平坦性を確保することが困難になるという問題点がある。
【０００６】
　本発明は、以上の問題点に鑑みてなされたものであり、本発明の奏する効果の一つにより、発光層を含む機能層の平坦化を実現させることができる。【課題を解決するための手段】
【０００７】
　本発明の発光装置は、複数の画素を有する発光装置であって、基板と、前記基板上に、前記画素ごとに形成された画素電極と、前記基板上に、前記基板の法線方向から見て一部が前記画素電極の外縁部に重なった状態に形成され、前記画素の発光領域に対応する領域に開口部を有する第１のバンクと、前記第１のバンク上に、複数の前記発光領域を囲うように、かつ前記第１のバンク上のうち前記開口部の近傍を除いた領域に形成された第２のバンクと、前記画素電極、前記第１のバンク、前記第２のバンクによって形作られる凹部に配置された、発光層を含む機能層と、前記機能層を挟んで前記画素電極の反対側に形成された陰極と、を備えることを特徴とする。
【０００８】
　このような構成によれば、個々の画素及び発光領域の大きさが液滴吐出法に適さないほど小さい場合であっても、上記凹部に吐出された機能液（機能層の材料を含んだ液体）は、当該凹部が上記発光領域を複数包含する大きさを有するため、凹部の底部に均一な厚さに濡れ広がる。また、第２のバンクは各画素の発光領域（第１のバンクの開口部）の近傍を除いた領域に形成されるため、機能液は、発光領域上において第２のバンクの影響による凹凸が少ない状態で濡れ広がる。上記発光層を含む機能層は、こうした機能液を乾燥させることによって得られるため、高い平坦性を有した状態で形成される。以上から、上記構成により、発光領域における、発光層を含む機能層の平坦化を実現させることができる。また、異なる画素に形成された発光層の厚さを容易に均一にすることができる。これにより、輝度ムラ等の不具合の少ない、高品位な発光を行うことができる。
・・・（省略）・・・
【００１７】
　本発明の電子機器は、上記発光装置を備えることを特徴とする。
【００１８】
　このような構成の電子機器によれば、輝度ムラ等の表示不良の少ない、高品位な表示を行うことができる。」
（２）「【発明を実施するための最良の形態】
【００１９】
　以下、図面を参照し、本発明の実施形態について説明する。なお、以下に示す各図においては、各構成要素を図面上で認識され得る程度の大きさとするため、各構成要素の寸法や比率を実際のものとは適宜に異ならせてある。
【００２０】
（有機ＥＬ装置）
　図１は、本発明の発光装置としての有機ＥＬ装置１の拡大平面図である。有機ＥＬ装置１は、赤（Ｒ）、緑（Ｇ）、青（Ｂ）の発光を行う画素５Ｒ，５Ｇ，５Ｂ（以下まとめて「画素５」とも呼ぶ）を複数備えている。
画素５は、同一の色に対応するものが図の縦方向に等間隔（等ピッチ）に並ぶように配置され
このような画素５の列を画素列と呼
有機ＥＬ装置１は、赤、緑、青に対応する画素列を複数備えており、これらの画素列は赤、緑、青の順に繰り返し配列され、ストライプ状をなし
【００２１】
　
画素５Ｒ，５Ｇ，５Ｂは、それぞれ発光領域６Ｒ，６Ｇ，６Ｂ（以下ではまとめて「発光領域６」とも呼ぶ）を有しており
【００２２】
　図２は、有機ＥＬ装置１の電気的な構成を示した模式的な回路図である。有機ＥＬ装置１は、複数の走査線２３と、この走査線２３の延設方向に対して交差する方向に延設された複数のデータ線２４と、このデータ線２４に並列する複数の共通給電線２５とを有している。走査線２３とデータ線２４との交差に対応して画素５が設けられている。走査線２３は、シフトレジスタ及びレベルシフタを備える走査線駆動回路２８に接続されている。データ線２４は、シフトレジスタ、レベルシフタ、ビデオライン、アナログスイッチを備えるデータ線駆動回路２９に接続されている。
【００２３】
　画素５の各々には、ＴＦＴ（Thin Film Transistor）素子２６，２７が形成されている。ＴＦＴ素子２６のゲート電極には、走査線２３を介して走査信号が供給される。ＴＦＴ素子２６のソース電極は、データ線２４に接続されており、ＴＦＴ素子２６のドレイン電極は、データ線２４から供給される画像信号を保持する保持容量２１に接続されている。保持容量２１によって保持された画像信号は、電流制御用のＴＦＴ素子２７のゲート電極に供給される。ＴＦＴ素子２７のソース電極は共通給電線２５に、またドレイン電極は有機ＥＬ素子３に、それぞれ接続されている。ＴＦＴ素子２７がオンとなると、共通給電線２５から有機ＥＬ素子３に駆動電流が流れ込み、有機ＥＬ素子３が発光する。
【００２４】
　このように、有機ＥＬ装置１は、駆動電流が流れることによって発光する有機ＥＬ素子３をＴＦＴ素子２６，２７で駆動制御する発光装置である。なお、図２においては走査線２３、データ線２４、共通給電線２５が直線状に描かれているが、画素５の千鳥配置に対応して適宜屈曲した状態で形成されていてもよい。
【００２５】
　
図３は、図１中のＡ−Ａ線における有機ＥＬ装置１の断面図
【００２６】
　
有機ＥＬ装置１は、
ガラス基板１０上にはシリコン酸化膜（ＳｉＯ２）等からなる下地保護膜３１が形成されている。下地保護膜３１上には、ＴＦＴ素子２６（図３においては不図示），２７が形成されている。
【００２７】
　より詳しくは、
下地保護膜３１上に、ポリシリコン膜からなる半導体膜３６が島状に形成されている。半導体膜３６には不純物の導入によってソース領域、ドレイン領域が形成され、不純物が導入されなかった部分がチャネル領域となっている。下地保護膜３１及び半導体膜３６の上には、シリコン酸化膜等からなるゲート絶縁膜３２が形成され、ゲート絶縁膜３２上には、アルミニウム（Ａｌ）、モリブデン（Ｍｏ）、タンタル（Ｔａ）、チタン（Ｔｉ）、タングステン（Ｗ）等からなるゲート電極３７が形成されている。ゲート電極３７及びゲート絶縁膜３２の上には、第１層間絶縁膜３３と第２層間絶縁膜３４とがこの順に積層されている。ここで、第１層間絶縁膜３３及び第２層間絶縁膜３４は、シリコン酸化膜（ＳｉＯ２）、チタン酸化膜（ＴｉＯ２）などの無機絶縁膜から構成されている。なお、下地保護膜３１から第２層間絶縁膜３４までの構成要素を、以下ではまとめて「回路素子層１９」とも呼ぶ
【００２８】
　第１層間絶縁膜３３の上層には、共通給電線２５が形成されている。共通給電線２５は、第１層間絶縁膜３３及びゲート絶縁膜３２を貫通して設けられたコンタクトホールを介して半導体膜３６のソース領域に接続されている。
【００２９】
　
第２層間絶縁膜３４上には、
画素電極１１が画素５ごとに形成され
【００３０】
　
画素電極１１の周りには、当該画素電極１１を底部とする凹部を形作るように、親液性を有する無機材料からなる無機バンク１２、及び撥水性を有する有機材料からなる有機バンク１３がこの順に積層され
【００３１】
　無機バンク１２は、画素電極１１の周りを囲うようにして第２層間絶縁膜３４上に配置されており、ガラス基板１０の法線方向から見て、一部が画素電極１１の外縁部に重なった状態に形成されている。換言すれば、
無機バンク１２は、画素電極１１より小さな開口部１２ａを有して、画素電極１１に重ねて配置され
開口部１２ａは、画素５の発光領域６に対応する領域に設けられ
この開口部１２ａの形状
【００３２】
　
無機バンク１２上には、
有機バンク１３が形成され
有機バンク１３は、
正孔輸送層１４及び発光層１５を形成するにあたって液滴吐出法によって機能液を吐出する際、吐出された機能液の塗布領域を規定するものであ
有機バンク１３は、
複数の発光領域６を囲うように形成され
有機バンク１３に囲まれる発光領域６は、同一の色の発光を行う発光領域６であり、異なる色の発光領域６が混在しないようになって
【００３３】
　また、有機バンク１３は、無機バンク１２上のうち開口部１２ａの近傍を除いた領域に形成されている。つまり、有機バンク１３の配置領域は、無機バンク１２の開口部１２ａの縁（すなわち発光領域６の縁）から一定距離だけ離れている。
【００３４】
　こうした構成によれば、発光領域６の上に積層される構成要素（本実施形態では、後述する正孔輸送層１４及び発光層１５）の、発光領域６内における平坦性を高めることができる。これは、次の理由による。すなわち、有機バンク１３に囲まれた凹部に、液滴吐出法等の液層プロセスによって上記構成要素を形成する場合には、有機バンク１３付近では吐出された機能液の平坦性が失われやすくなる一方で、有機バンク１３から一定距離だけ離れた位置では有機バンク１３による影響を受けにくいため高い平坦性を確保しやすくなる。そして、本実施形態の構成では、発光領域６と有機バンク１３との間に距離が設けられていることにより、発光領域６が、上記平坦性の高くなる領域に位置するようになるためである。
【００３５】
　特に、
発光領域６の縁から有機バンク１３に至るまでの領域は、親水性を有する無機バンク１２が配置されているため、機能液が平坦に濡れ広がりやすい。そして、こうした親水性領域に囲まれた発光領域６においても、機能液は平坦に濡れ広がる。このため、発光領域６の上に積層される構成要素は高い平坦性をもって形成される。
【００３６】
　上記
画素電極１１、無機バンク１２、有機バンク１３によって形作られる凹部には、液滴吐出法によって形成された正孔輸送層１４及び発光層１５がこの順に配置され
発光層１５及び有機バンク１３の上には、これらを覆うように、
陰極１６が形成され
陰極１６の上には、
陰極１６あるいは有機ＥＬ素子３の酸化を防止するための、樹脂等からなる封止部材１７が積層されている
【００３７】
　ここで、上記した液滴吐出法とは、有機発光材料等の機能物質が溶解又は分散された機能液の液滴を吐出し、その後、吐出された機能液を乾燥させて溶媒を蒸発させ、機能物質の層を形成する手法である。液滴吐出法には、インクジェット法などが含まれる。
【００３８】
　正孔輸送層１４は、導電性高分子材料中にドーパントを含有する導電性高分子層からなる。このような正孔輸送層１４は、例えば、ドーパントとしてポリスチレンスルホン酸を含有する３，４−ポリエチレンジオキシチオフェン（ＰＥＤＯＴ−ＰＳＳ）などから構成することができる。
【００３９】
　発光層１５は、エレクトロルミネッセンス現象を発現する有機発光物質の層である。画素電極１１と陰極１６との間に電圧を印加することによって、発光層１５には、正孔輸送層１４から正孔が、また、陰極１６から電子が注入される。発光層１５は、これらが結合したときに光を発する。発光層１５からの発光スペクトルは、材料の発光特性や膜厚に依存する。本実施形態では、発光領域６Ｒ，６Ｇ，６Ｂには、それぞれ赤、緑、青の可視光を発光する発光層１５が形成される。発光層１５から図３の下方に射出された光はそのままガラス基板１０を透過し、また図３の上方に射出された光は陰極１６によって反射された後に下方へ進み、同じくガラス基板１０を透過する。
【００４０】
　このような構成の有機ＥＬ装置１は、ボトムエミッション型と呼ばれる。なお、有機ＥＬ装置１が、ガラス基板１０とは反対側に向けて表示光を射出するトップエミッション型である場合、陰極１６は、例えば、薄いカルシウム層と、ＩＴＯ層などから構成して光透過性をもたせ、画素電極１１の下層側には、画素電極１１の略全体と重なるようにアルミニウム膜などからなる光反射層を形成する。
【００４１】
　ところで、図１中のＢ−Ｂ線、すなわち、有機バンク１３に囲まれた複数の発光領域６を含む位置において有機ＥＬ装置１を切断した場合、その模式断面図は図６（ｃ）のようになる。この図においては、下地保護膜３１から第２層間絶縁膜３４までの構成要素をまとめて回路素子層１９としている。この断面図においては、隣接する発光領域６の間に有機バンク１３が存在しない。したがって、正孔輸送層１４及び発光層１５は、複数の発光領域６を含んだ底部を有する大きな凹部の全体にわたって一つながりに形成されている。
【００４２】
　このような構成によれば、各発光領域６の間で、正孔輸送層１４及び発光層１５の厚さにばらつきが生じにくくなる。これにより、各発光領域６における発光輝度が均一になり、輝度ムラ等の不具合の少ない高品位な発光を行うことができる。
【００４３】
　以上のような構成の有機ＥＬ装置１は、画素５の発光領域６においてのみ発光し、無機バンク１２が形成された領域においては発光は行われない。これは、図３に示すように、当該領域では、画素電極１１（陽極）と陰極１６との間に絶縁物質である無機バンク１２が配置されていることにより、両電極間の電流経路が遮断されるためである。」
（３）図１
（４）図３
２　引用発明
　引用文献２の上記１の有機ＥＬ装置の記載（【００２６】〜【００２９】及び図３）からは、「ガラス基板上に回路素子層が形成され、回路素子層上に画素電極が画素ごとに形成され」ている構成を把握できる。ここで、図３は、図１中のＡ−Ａ線における有機ＥＬ装置１の断面図（【００２５】）である。
　そうしてみると、引用文献２には、有機ＥＬ装置の発明として、次の発明（以下「引用発明１」という。）が記載されていると認められる。
「画素が、同一の色に対応するものが縦方向に等間隔（等ピッチ）に並ぶように配置され、このような画素の列を画素列と呼び、赤、緑、青に対応する画素列を複数備えており、これらの画素列は赤、緑、青の順に繰り返し配列されて、ストライプ状をなし、画素は、それぞれ発光領域を有している、有機ＥＬ装置であって、
　ガラス基板上に回路素子層が形成され、回路素子層上に画素電極が画素ごとに形成され、
　画素電極の周りには、画素電極を底部とする凹部を形作るように、親液性を有する無機材料からなる無機バンク、及び撥水性を有する有機材料からなる有機バンクがこの順に積層され、無機バンクは、画素電極より小さな開口部を有して、画素電極に重ねて配置され、この開口部は、画素の発光領域に対応する領域に設けられ、
　無機バンク上には、有機バンクが形成され、有機バンクは、正孔輸送層及び発光層を形成するにあたって液滴吐出法によって機能液を吐出する際、吐出された機能液の塗布領域を規定するものであり、有機バンクは、複数の発光領域を囲うように形成されて、有機バンクに囲まれる発光領域は、同一の色の発光を行う発光領域であり、異なる色の発光領域が混在しないようになっており、
　画素電極、無機バンク、有機バンクによって形作られる凹部には、液滴吐出法によって形成された正孔輸送層及び発光層がこの順に配置され、発光層及び有機バンクの上には、これらを覆うように、陰極が形成され、陰極の上には、封止部材が積層されている有機ＥＬ装置。」
　また、引用文献２には、引用発明１を備えた電子機器の発明（以下「引用発明２」という。）が記載されていると認められる。
３　引用文献１の記載事項
　原査定の拒絶理由に引用文献１として引用され、先の出願前に日本国内又は外国において、電気通信回線を通じて公衆に利用可能となった発明が記載された国際公開第２０１５／１３６５７９号（以下、同じく「引用文献１」という。）には、以下の記載事項がある。なお、当合議体が引用文献１に記載された事項の認定等に用いた箇所に下線を付した。
（１）「技術分野
[0001]　本発明は、有機ＥＬ素子を備えた有機ＥＬ表示パネルおよびその製造方法に関する。
背景技術
[0002]　近年、有機ＥＬ（Electro Luminescence）素子の研究開発が進んでいる。有機ＥＬ素子は、陽極と陰極とからなる一対の電極と、電極間に挟まれた発光層とを有する。また、陽極と発光層との間には、必要に応じてホール注入層、ホール輸送層またはホール注入兼輸送層が配される。陰極と発光層との間には、必要に応じて電子注入層、電子輸送層または電子注入兼輸送層が配される。発光層、ホール注入層、ホール輸送層、ホール注入兼輸送層、電子注入層、電子輸送層、および電子注入兼輸送層は、各々発光、電荷の注入と輸送といった固有の機能を果たすので、これらの層を総称して「機能層」と称する。
[0003]　有機ＥＬ表示パネルにおいては、このような有機ＥＬ素子が、赤色、緑色および青色の各サブピクセルに相当する。隣り合う赤色、緑色および青色のサブピクセルでピクセルが構成される。
[0004]　有機ＥＬ表示パネルを製造する方法として、基板上の各サブピクセルが形成される領域に、機能層を構成するための機能性材料を含む溶液を塗布し、塗布された溶液を乾燥させるウェット方式が提案されている。ウェット方式では、溶液を目的の位置に留めておくための隔壁（バンクとも称される）が形成され、隔壁で規定された凹部に溶液を塗布するのが一般的である。
[0005]　特許文献１は、いわゆるピクセルバンク構造の隔壁を開示している（例えば、特許文献１の図１２参照）。ピクセルバンク構造は、長尺状で平行に配された複数の第１隔壁と、隣り合う第１隔壁間に配された複数の第２隔壁を備える。隣り合う２つの第１隔壁と隣り合う２つの第２隔壁とで凹部が規定される。ピクセルバンク構造では、各凹部が、サブピクセルが形成される領域に相当する。
先行技術文献
特許文献
[0006]　ＷＯ２００９／０８４２０９　Ａ１
発明の概要
発明が解決しようとする課題
[0007]　ウェット方式の場合、溶液の塗布量が凹部毎にばらつくことがある。溶液の塗布量が凹部毎にばらつくと、溶液の乾燥により得られる機能層の膜厚がサブピクセル毎にばらつくことになる。これは、各サブピクセルの発光特性のばらつきの原因となる。
[0008]　本発明の一態様は、機能層の膜厚のサブピクセル毎のばらつきを抑制可能な技術を提案する。
課題を解決するための手段
[0009]　本発明の一態様に係る有機ＥＬ表示パネルは、それぞれ長尺状で互いに間隔を空けて配された一対の第１隔壁と、前記一対の第１隔壁間に複数存在し、前記第１隔壁に沿う方向に互いに間隔を空けて配され、それぞれ前記一対の第１隔壁間を連結する第２隔壁と、前記一対の第１隔壁と前記複数の第２隔壁とで規定される複数の凹部内にそれぞれ配され、有機ＥＬ素子の少なくとも一部を構成する機能層と、を備える。前記各第２隔壁は、前記第２隔壁を挟んで隣り合う凹部を相互に連通する溝部を上面に有し、前記溝部の前記第１隔壁に沿う方向に直交する方向の幅が、前記隣り合う凹部の前記第１隔壁に沿う方向に直交する方向の幅よりも狭く、２μｍ以上６μｍ以下の寸法を有する。
発明の効果
[0010]　上記構成により、機能層の膜厚の凹部毎のばらつきを抑制することができる。
・・・（省略）・・・
発明を実施するための形態
[0012]　＜１＞　本発明の一態様の概要
　
有機ＥＬ表示パネルは、それぞれ長尺状で互いに間隔を空けて配された一対の第１隔壁と、前記一対の第１隔壁間に複数存在し、前記第１隔壁に沿う方向に互いに間隔を空けて配され、それぞれ前記一対の第１隔壁間を連結する第２隔壁と、前記一対の第１隔壁と前記複数の第２隔壁とで規定される複数の凹部内にそれぞれ配され、有機ＥＬ素子の少なくとも一部を構成する機能層と、を備える。前記各第２隔壁は、前記第２隔壁を挟んで隣り合う凹部を相互に連通する溝部を上面に有し
・・・（省略）・・・
[0021]　＜２＞　有機ＥＬ表示パネルの構造
　図１は、本発明の実施形態に係る有機ＥＬ表示パネルの部分断面図である。同図には、１つのサブピクセルが現われている。有機ＥＬ表示パネル１０は、基板１、陽極２、正孔注入層３、正孔輸送層４、有機発光層５、電子輸送層６、陰極７、封止層８および隔壁構造９を備える。陽極２と陰極７との間に電圧が印加されると、陽極２から正孔注入層３および正孔輸送層４を介して有機発光層５に正孔が供給され、陰極７から電子輸送層６を介して有機発光層５に電子が供給される。有機発光層５は、正孔と電子の再結合に伴い発光する。陽極２から陰極７までの積層構造が有機ＥＬ素子に該当する。封止層８は、有機ＥＬ素子に大気中の水分や酸素が浸入するのを抑制する。本実施形態では、正孔注入層３、正孔輸送層４および有機発光層５がウェット方式で形成されるものとする。正孔注入層３、正孔輸送層４および有機発光層５は、隔壁構造９によりサブピクセル毎に分離される。電子輸送層６および陰極７は、隔壁構造９を越えて隣り合うサブピクセル間で連なっている。各層の具体的な材料については後述する。
[0022]　隔壁構造９は、図２の斜視図に示すように、概ね格子状の形状を有する。同図では、隔壁構造９の形状の理解のために、正孔注入層３およびそれよりも上部の層は省略されている。隔壁構造９は、第１隔壁１１ａ、１１ｂ、１１ｃ、１１ｄ（以下、個々を区別しない場合は、「第１隔壁１１」と称する）と、第２隔壁２１ａ、２１ｂ、２１ｃ、２１ｄ、２１ｅ、２１ｆ、２１ｇ、２１ｈ（以下、個々を区別しない場合は、「第２隔壁２１」と称する）を含む。
[0023]　各第１隔壁１１は、長尺状であり、基板１上に互いに間隔Ｗｃを空けて平行に配されている。本実施形態では、基板１の上面に平行な面内において第１隔壁１１に沿う方向を「第１方向」と称し、同じ面内において第１方向に直交する方向を「第２方向」と称する。各第２隔壁２１は、基板１上における隣り合う一対の第１隔壁１１間に、互いに間隔Ｗｂを空けて配されている。隣り合う一対の第１隔壁１１は、各第２隔壁２１により連結されている。第１隔壁１１と第２隔壁２１とで凹部３１ａ、３１ｂ、３１ｃ、３１ｄ、３１ｅ、３１ｆ、３１ｇ、３１ｈ、３１ｉ、３１ｊ、３１ｋ、３１ｌ（以下、個々を区別しない場合は、「凹部３１」と称する）が規定される。例えば、凹部３１ｆは、第１隔壁１１ｂ、１１ｃと第２隔壁２１ｂ、２１ｆとで規定される。各凹部３１が、サブピクセルが形成される領域となる。即ち、正孔注入層３、正孔輸送層４、有機発光層５、電子輸送層６および陰極７は、各凹部３１内に配される。
[0024]　各第１隔壁１１の高さは互いに同じであり、各第２隔壁２１の高さも互いに同じである。本実施形態では、第１隔壁１１の高さと第２隔壁２１の高さも同じである。従って、第１隔壁１１の上面１２は、第２隔壁２１の上面２３と平坦に連なる。各第２隔壁２１は、第１方向に隣り合う２つの凹部３１を相互に連通する溝部２２を上面２３に有する。例えば、第２隔壁２１ｂの溝部２２は、第２隔壁２１ｂを挟んで隣り合う凹部３１ｂ、３１ｆを相互に連通する。また、第２隔壁２１ｆの溝部２２は、第２隔壁２１ｆを挟んで隣り合う凹部３１ｆ、３１ｊを相互に連通する。隣り合う一対の第１隔壁１１間に存在する複数の凹部３１は、各第２隔壁２１に設けられた溝部２２により連通している。」
（２）図１
（３）図２
　４　引用文献７の記載事項
　原査定の拒絶理由に引用文献７として引用され、先の出願前に日本国内又は外国において、電気通信回線を通じて公衆に利用可能となった特開２０１５−１４４０８７号公報（以下、同じく「引用文献７」という。）には、以下の記載事項がある。なお、当合議体が発明の認定等に用いた箇所に下線を付した。
（１）【００６０】
＜変形例２＞
　図１６は、上記第１および第２の実施の形態の変形例（変形例２）に係る有機ＥＬ素子（有機ＥＬ素子１０Ｂ）の構成を表したものである。本変形例の有機ＥＬ素子１０Ｂは、絶縁膜１３Ａの開口（開口Ｈ２ａ）の側面（発光開口の横）にリフレクタ構造（いわゆるアノードリフレクタ）を有している。絶縁膜１３Ａは、上記第１の実施の形態の画素間絶縁膜１３に相当するものである。本変形例では、第１電極１２Ｅが、上記第２の実施の形態と同様、離散配置された（ドット状の）複数のサブ電極１２ｅ１からなる。また、絶縁膜１３Ａが、各画素の発光開口としての開口Ｈ２ａ内に、断面形状において複数の凸部１３ａ１を有している。換言すると、絶縁膜１３Ａは、開口Ｈ２ａ内に、複数のサブ開口Ｈ２ａ１を有しており、サブ開口Ｈ２ａ１はサブ電極１２ｅ１に対向して設けられている。これらの各サブ開口Ｈ２ａ１において有機層１４が露出し、第２電極１５と接触している。これらの複数の凸部１３ａ１の形状に倣って、保護膜１６が形成されている。なお、第１電極１２Ｅは画素毎に形成されており、第１電極１２Ｅの構成材料は上記第１の実施の形態の第１電極１２と同様である。
【００６１】
　このように、
有機ＥＬ素子１０Ｂは、いわゆるアノードリフレクタを有していてもよい。
（２）図１６
（３）図１７
第５　対比・判断
１　本件発明１について
（１）対比
　本件発明１と引用発明１とを対比する。
　ア　有機電界発光素子
　引用発明１の「有機ＥＬ装置」は、「ガラス基板上に回路素子層が形成され、回路素子層上に画素電極が画素ごとに形成され」、「画素電極、無機バンク、有機バンクによって形作られる凹部には、液滴吐出法によって形成された正孔輸送層及び発光層がこの順に配置され、発光層及び有機バンクの上には、これらを覆うように、陰極が形成され」る構成を具備している。
　ここで、技術常識を考慮すると、上記「画素電極」、「正孔輸送層」、「発光層」及び「陰極」からなるものは、有機ＥＬ素子である（以下「有機ＥＬ素子」という。）。
　そうしてみると、引用発明１の「有機ＥＬ素子」は、本件発明１の「有機電界発光素子」に相当する。
　イ　画素
　引用発明１の「画素」は、「同一の色に対応するものが縦方向に等間隔（等ピッチ）に並ぶように配置され、このような画素の列を画素列と呼び、赤、緑、青に対応する画素列を複数備えており、これらの画素列は赤、緑、青の順に繰り返し配列されて、ストライプ状をなし」、「それぞれ発光領域を有している」。
　上記アの構成と上記構成からみて、引用発明１の「画素」は、その文言どおり本件発明１の「画素」に相当する。また、引用発明１の「画素」は複数であることは明らかである。さらに、引用発明１の複数の「画素」は、本件発明１の「２次元配置されると共に、それぞれが複数色のうちのいずれかの色の光を発する有機電界発光素子を含む複数の画素を備え」るとの要件及び「発光色毎に一方向に沿って配置され」るとの要件を満たす。
　ウ　第１の絶縁膜
　引用発明１の「無機バンク」は、「画素電極の周りには、画素電極を底部とする凹部を形作るように、親液性を有する無機材料からな」り、「画素電極より小さな開口部を有して、画素電極に重ねて配置され、この開口部は、画素の発光領域に対応する領域に設けられ」る。
　上記構成からみて、引用発明１の「無機バンク」は、膜を形成し、画素毎に開口部を有するものである。また、技術常識からみて、引用発明の「無機バンク」が絶縁性であることは明らかである。
　そうしてみると、引用発明１の「無機バンク」は、本件発明１の「第１の絶縁膜」に相当する。また、引用発明１の「無機バンク」は、本件発明１の「第１の絶縁膜」の「前記画素毎に開口部を有する」との要件を満たす。
（当合議体注：次のエで述べるとおり、引用発明１は、絶縁膜である「無機バンク」に加えて、絶縁膜である「有機バンク」を具備する。したがって、これら絶縁膜は、「第１」及び「第２」を付して呼ぶことができる。）
　エ　第２の絶縁膜
　引用発明１の「有機バンク」は、「撥水性を有する有機材料からな」り、「無機バンク上に」「形成され」、「正孔輸送層及び発光層を形成するにあたって液滴吐出法によって機能液を吐出する際、吐出された機能液の塗布領域を規定するものであり」、「複数の発光領域を囲うように形成されて、有機バンクに囲まれる発光領域は、同一の色の発光を行う発光領域であり、異なる色の発光領域６が混在しないようになって」いる。
　上記構成からみて、引用発明１の「有機バンク」は、「無機バンク上に」「形成され」、膜を形成するものである。また、技術常識からみて、引用発明の「有機バンク」が絶縁性であることは明らかである。さらに、引用発明１の「有機バンク」と「複数の発光領域」との位置関係からみて、引用発明１の「有機バンク」は、異なる色の発光領域の間の領域に形成されている。そして、上記ア〜ウの構成より、同一の色の発光を行う発光領域は、縦方向に等間隔（等ピッチ）に並ぶように配置される画素列となっている。
　そうしてみると、引用発明１の「有機バンク」は、本件発明１の「第２の絶縁膜」に相当する。また、引用発明１の「有機バンク」は、本件発明１の「第２の絶縁膜」の「前記第１の絶縁膜上の異なる発光色の画素同士の間の領域に、前記発光色毎の配列方向に沿って延在する」との要件を満たす。
　オ　有機層
　引用発明１の「画素電極の周りには、画素電極を底部とする凹部を形作るように、親液性を有する無機材料からなる無機バンク、及び撥水性を有する有機材料からなる有機バンクがこの順に積層され、無機バンクは、画素電極より小さな開口部を有して、画素電極に重ねて配置され、この開口部は、画素の発光領域に対応する領域に設けられ」ている。そして、引用発明１の「正孔輸送層及び発光層」は、この「画素電極、無機バンク、有機バンクによって形作られる凹部に」「液滴吐出法によって形成され」たものである。
　引用発明１の「発光層」は、その文言どおり、本件発明１の「発光層」に相当する。また、技術常識からみて、引用発明１の「正孔輸送層及び発光層」が有機層であることは明らかである。さらに、上記構成からみて、引用発明１の「正孔輸送層及び発光層」は、「無機バンク」の「開口部」に設けられ、印刷層または塗布層を含むといえる。
　そうしてみると、引用発明１の「正孔輸送層及び発光層」は、本件発明１の「有機層」に相当する。また、引用発明１の「正孔輸送層及び発光層」は、本件発明１の「有機層」の「前記開口部に形成されると共に発光層を含む」との要件及び「印刷層または塗布層を含」むとの要件を満たす。
　カ　表示装置
　上記ア〜オを総合すると、引用発明１の「有機ＥＬ装置」は、本件発明１の「表示装置」に相当する。
（２）一致点及び相違点
　以上より、本件発明１と引用発明１とは、
「　２次元配置されると共に、それぞれが複数色のうちのいずれかの色の光を発する有機電界発光素子を含む複数の画素を備え、
　前記複数の画素は、
　発光色毎に一方向に沿って配置され、かつ
　前記画素毎に開口部を有する第１の絶縁膜と、
　前記第１の絶縁膜上の異なる発光色の画素同士の間の領域に、前記発光色毎の配列方向に沿って延在する第２の絶縁膜と、
　前記開口部に形成されると共に発光層を含む有機層と
　を有し、
　前記有機層は、印刷層または塗布層を含む
　表示装置。」の点で一致し、以下の点で相違する。
（相違点１）
　「第１絶縁膜」が、本件発明１は、「前記複数の画素のうちの同一の発光色の画素の開口部同士を繋ぐ凹部を含」むのに対して、引用発明１の「無機バンク」は、このような凹部を具備しない点。
（相違点２）
　「開口部」が、本件発明１は、「リフレクタを有」するのに対して、引用発明１の「開口部」は、このように特定されたものではない点。
（相違点３）
　「有機層」が、本件発明１は、「前記凹部にも形成され」ているのに対して、引用発明１の「正孔輸送層及び発光層」は、そもそも上記相違点１で述べたような凹部を具備しない点。
（相違点４）
　本件発明１は、「前記凹部の側面のテーパ角は、前記開口部の側面のテーパ角よりも小さい」のに対して、引用発明１は、そもそも上記相違点１で述べたような凹部を具備しない点。
（３）判断
　事案に鑑みて、相違点１、３及び４について検討する。
　引用発明１の「無機バンク」は、「親液性を有する無機材料からなる」ものであって、「画素電極の周りには、画素電極を底部とする凹部を形作るように」、「画素電極より小さな開口部を有して、画素電極に重ねて配置され、この開口部は、画素の発光領域に対応する領域に設けられ」るものである。このような構成によって、引用文献２の【００３５】に記載された「発光領域６の縁から有機バンク１３に至るまでの領域は、親水性を有する無機バンク１２が配置されているため、機能液が平坦に濡れ広がりやすい。そして、こうした親水性領域に囲まれた発光領域６においても、機能液は平坦に濡れ広がる。このため、発光領域６の上に積層される構成要素は高い平坦性をもって形成される。」との効果を奏するものである。このように、引用発明１は、各発光領域へと機能液が平坦に濡れ拡がりやすくするために親水性の無機バンクを設けるものであるから、引用発明１において、無機バンクの同一発光色の画素の開口部同士を繋ぐ凹部を設ける動機付けはなく、どちらかといえば、むしろこれを阻害するものといえる。
　また、引用文献１の[0012]の記載や図２からは、「第２隔壁を挟んで隣り合う凹部を相互に連通する溝部」の構成までは理解できるとしても、この構成は、上記相違点１、３及び４に係る本件発明１の構成のすべてを補うものではない。加えて、引用文献１の記載を参照しても、これを引用発明１の「無機バンク」と組み合わせるべき動機付けを見いだすことができない。
　そうしてみると、当業者であっても、引用発明１に引用文献１に記載された事項を適用して上記相違点１、３及び４に係る本件発明１の構成とすることが容易になし得たということはできない。
　なお、引用文献７にも有機ＥＬ素子はリフレクタを有することが記載されているにすぎず、上記相違点１、３及び４に係る本件発明１の構成について記載されていない。また、引用文献４（特開２００９−１２２２７８号公報）、引用文献５（特開２０１１−３４８４９号公報）、引用文献６（特開２００９−２８８７３５号公報）にも、上記相違点１、３及び４に係る本件発明１の構成について記載されていない。
（４）小括
　以上のとおりであるから、他の相違点について検討するまでもなく、本件発明１は、当業者であっても、引用発明１並びに引用文献１及び７に記載された事項に基づいて容易に発明をすることができたということができない。
２　本件発明２〜９について
　本件発明２〜９は、本件発明１の構成を全て具備するものであるから、本件発明２〜９も、本件発明１と同じ理由により、当業者であっても、引用発明１並びに引用文献１及び７に記載された事項に基づいて容易に発明をすることができたということができない。
３　本件発明１０について
　本件発明１０と引用発明２とを対比すると、本件発明１０は、実質的に本件発明１の表示装置を備えた電子機器であるから、両者は、少なくとも、上記１（２）で述べた相違点１、３及び４において相違する。
　したがって、本件発明１の場合と同様に、当業者であっても、本件発明１０は、引用発明２並びに引用文献１及び７に記載された事項に基づいて容易に発明をすることができたということができない。
第６　むすび
　以上のとおり、本件発明１〜１０は、いずれも、当業者が引用文献１に記載された発明並びに引用文献１及び７に記載された事項に基づいて容易に発明をすることができたものではない。
　したがって、原査定の理由によっては、本願を拒絶することはできない。
　また、他に本願を拒絶すべき理由を発見しない。
　よって、結論のとおり審決する。